(57)【要約】【課題】メッセージビデオをプリクラのように撮影者自ら簡単に撮影可能とすると共に、編集も容易とする。【解決手段】映像記録スタンド１０のタッチパネル１２から入力されたモニター情報により撮影者を識別し、撮影者の指示により録画を開始し、録画された映像を、撮影者毎に編集する。【選択図】　　　図１
2004072679.tif 000002
【特許請求の範囲】
【請求項１】
撮影者を識別する手段と、
撮影者の指示により録画を開始する手段と、
録画された映像を、撮影者毎に編集する手段と、
を備えたことを特徴とするメッセージ映像の自動撮影編集装置。
【請求項２】
前記録画を延長する手段を備えたことを特徴とする請求項１に記載のメッセージ映像の自動撮影編集装置。
【請求項３】
前記撮影者が録画した映像を、撮影者自身が確認するための手段を備えたことを特徴とする請求項１に記載のメッセージ映像の自動撮影編集装置。
【請求項４】
前記撮影者が録画した映像に、予め記録しておいた他の映像を付加する手段を備えたことを特徴とする請求項１又は３に記載のメッセージ映像の自動撮影編集装置。
【請求項５】
請求項１乃至４のいずれかに記載の自動撮影編集装置を実現するためのコンピュータプログラム。
【発明の詳細な説明】
【０００１】
【発明の属する技術分野】
本発明は、メッセージ映像の自動撮影編集装置に係り、特に、産婦人科医院（以下、医院と称する）等にスタンドを配置して、いわゆるプリクラのように、誕生した新生児等のメッセージビデオを作成することが可能な、メッセージ映像の自動撮影編集装置に関する。
【０００２】
【従来の技術】
撮影者自身が自分の画像を撮影可能な自動撮影装置として、静止画用のいわゆるプリクラが知られている。
【０００３】
【発明が解決しようとする課題】
しかしながら、ビデオ等の動画に関しては、プリクラのような装置は実用化されていない。
【０００４】
本発明は、前記従来の問題点を解決するべくなされたもので、プリクラの動画版を提供することを課題とする。
【０００５】
【課題を解決するための手段】
本発明は、メッセージ映像の自動撮影編集装置を、撮影者を識別する手段と、撮影者の指示により録画を開始する手段と、録画された映像を、撮影者毎に編集する手段とを用いて構成することにより、前記課題を解決したものである。
【０００６】
更に、前記録画を延長する手段を備えることにより、雰囲気に応じた延長録画を可能としたものである。
【０００７】
更に、前記撮影者が録画した映像を、撮影者自身が確認するための手段を備えることにより、撮影者が気に入った映像のみが編集されるようにしたものである。
【０００８】
更に、前記撮影者が録画した映像に、予め記録しておいた他の映像を付加する手段を備えることにより、タイトル、関連施設の風景、宣伝等を付加可能としたものである。
【０００９】
本発明は、又、前記の自動撮影編集装置を実現するためのコンピュータプログラムを提供するものである。
【００１０】
【発明の実施の形態】
以下図面を参照して、医院に配設した新生児記録用メッセージビデオの自動撮影編集装置に適用した、本発明の実施形態を詳細に説明する。
【００１１】
本実施形態は、図１に示す如く、医院内に配置される、タッチパネル１２とカメラ１４を組合せた全自動映像記録スタンド１０と、同じく医院内に配置される映像保存・転送用のサーバ３０と、該サーバ３０と例えばインターネット５０等のネットワークを介して接続された編集センター６０とを含んで構成されている。
【００１２】
図において、７０は、医院毎の管理用ホームページである。
【００１３】
前記映像記録スタンド１０には、タッチパネル１２と、新生児８を撮影するためのカメラ１４及びマイク１６と、照明用ライト１８と、確認用のモニタ２０とが備えられている。この映像記録スタンド１０は、例えば医院の分娩室、新生児室の近くや、待合室の一角等に設置され、そこで分娩前後や、入院中、退院時等に、母親や皆がカメラに向かってメッセージを言うことにより、その日、その時の気持や、両親、祖父母、親戚、友達のお祝いメッセージ等を自動的に複数回（例えば毎日）保存することができるようにされている。
【００１４】
前記カメラ１４で撮影された映像ファイルには、撮影者（例えば母親）自身によりタッチパネル１２から入力されるモニター信号に応じて、場所情報、ユーザ情報、時刻、データ量、ロット番号等の属性情報が自動的に付加され、例えば図２に示す如く構成される。
【００１５】
前記映像保存・転送用サーバ３０には、前記カメラ１４及びマイク１６から入力される映像入力及び音声入力を分配するための映像分配器３２と、該映像分配器３２を介して入力される動画を保存するための映像ハードディスク（ＨＤ）３４及びバックアップ用ＨＤ３６と、前記タッチパネル１２から入力されるモニター信号に応じて前記ライト１８を点灯させるセンサ信号を出力するコントローラ３８と、モニター情報や各ＨＤ情報を記録するデータベース（ＤＢ）４０と、インターネット５０と通信するための例えばＡＤＳＬモデム等のモデム４２と、を含んで構成されている。
【００１６】
前記ＤＢ４０は、例えば夜間等の空き時間に編集センター６０とインターネット５０でつながれ、アップデートされる。
【００１７】
前記編集センター６０は、映像の編集、保存、ビデオやＣＤ−ＲＯＭ、ＤＶＤの作成、配送、ホームページ作成、メンテナンス等を行なう。
【００１８】
以下、図３を参照して作用を説明する。
【００１９】
動画撮影を希望する者（撮影者）は、ステップ１００で、映像記録スタンド１０のタッチパネル１２により、図４（Ａ）（Ｂ）に示す如く、自分若しくは入院中の母親の名前を選択する。この際、名前間違い防止のため、タッチパネル画面上には、名前と、その人の住所が表示される。
【００２０】
次いでステップ１１０で、図４（Ｃ）に示す如く、タッチパネル１２の録画スタートボタンを押して、録画を開始する。録画中は、鮮明な画像が収録されるよう、ライト１８が点灯して、撮影者をライトアップすると共に、図４（Ｄ）に示す如く、モニター２０に、撮影中の画像が表示される。この時の録画表示画面には、タイマやＨＤ残りデータや録画時間、録画回数も表示される。更に、録画中止ボタンや録画延長ボタンも設定され、録画の中止（ステップ１３０）や延長（ステップ１５０）も可能なようにされている。延長は、例えば有料オプションとされる。
【００２１】
所定時間、例えば３０秒経過後、一回の録画が自動的に終了し、図４（Ｅ）に示すような映像確認画面が表示される。
【００２２】
映像確認が選択された時は、ステップ１７０で映像を再生した後、図４（Ｆ）に示すような終了画面を表示し、スタンバイ画面に戻る。
【００２３】
撮影は、例えば出産前の通院時から可能とされ、通院時に希望した時からサービスがスタートされ、出産前後、退院するまで、あるいは、退院後の通院時まで、メッセージ録画が可能とされる。
【００２４】
前記録画に際して、メッセージの入力を容易とするため、図５に示すようなメッセージ例を録画ガイド画面に表示することもできる。
【００２５】
保存映像のイメージを図６に示す。
【００２６】
前記映像記録スタンド１０で記録され、映像保存・転送用サーバ３０からインターネット５０を介して編集センター６０に送られてきた映像は、該編集センター６０で、図７（絵コンテ例）及び図８（映像ツリー例）に示すようなフォームに自動的に当て嵌めることによって、自動的に編集される。この際、名前や時刻の基礎情報も自動で当て嵌められ、極力、人力による編集は行なわないようにされる。
【００２７】
このようにして、プリクラ動画版に残したいろいろな人のメッセージ中心に、出産後の貴重な映像が多数収録され、更に、例えば病院の宣伝ＰＲも挿入される。
【００２８】
編集センター６０によって作成されたＤＶＤ、ＣＤ−ＲＯＭあるいはビデオは、後日、例えば退院後、注文に応じて、撮影者や希望者に配送される。
【００２９】
本実施形態においては、複数回の映像を収録可能としているので、その時、その時の状況に応じた映像を楽しむことができる。更に、録画時間を延長可能としているので、撮影時の状態に応じて、録画時間を延長することができる。なお、収録を１回限りとしたり、録画時間を固定とすることも可能である。
【００３０】
本実施形態においては、又、撮影者が録画した映像を、撮影者自身が確認できるようにしているので、気に入らない映像を削除して、メッセージビデオに入らないようにすることもできる。なお、映像確認ができないようにしてもよい。
【００３１】
更に、撮影者が録画した動画に、予め記録しておいた他の映像を付加できるようにしたので、病院の全景やＰＲ等を付加できる。
【００３２】
又、前記実施形態においては、医院内に設置されたサーバに保存した映像を編集センターに転送するようにしていたが、医院内に編集機まで配設してもよい。
【００３３】
前記実施形態においては、本発明が、産院の新生児記録用とされていたが、本発明の適用対象はこれに限定されず、例えば保育園、幼稚園、老人ホーム等にも適用できる。
【００３４】
【発明の効果】
本発明によれば、撮影者が撮影したメッセージ映像を編集して、容易に撮影者等に提供することが可能となる。
【図面の簡単な説明】
【図１】本発明に係る実施形態の全体構成を示すシステム図
【図２】前記実施形態における映像ファイルの構成例を示す線図
【図３】同じく処理手順を示す流れ図
【図４】同じくタッチパネル画面のイメージ図
【図５】同じくメッセージ例を示す線図
【図６】同じく保存映像のイメージ図
【図７】同じく絵コンテ例を示す線図
【図８】同じく映像ツリー例を示す線図
【符号の説明】
８…新生児
１０…全自動映像記録スタンド
１２…タッチパネル
１４…カメラ
１６…マイク
１８…ライト
２０…モニタ
３０…映像保存・転送用サーバ
３４…映像ＨＤ
４０…モデム
５０…インターネット
６０…編集センター
７０…ホームページ用サーバ
【図１】
2004072679.tif 000003
【図２】
2004072679.tif 000004
【図３】
2004072679.tif 000005
【図４】
2004072679.tif 000006
【図５】
2004072679.tif 000007
【図６】
2004072679.tif 000008
【図７】
2004072679.tif 000009
【図８】
2004072679.tif 000010